(57)【要約】【課題】２分割構成の本体ケースの連結の際に連結位置がずれることを防止するとともに、本体ケースの連結状態を良好に維持する。【解決手段】２分割された本体ケース７の一方の第一の本体５と、本体ケース７の他方でありランプ支持部２１を支持する第二の本体６とを備える蛍光ランプソケット３に、一対の連結部３３，３４を設ける。連結部３３，３４は、第一及び第二の本体５，６の連結移動に伴い、係合部３８，４４に対して爪３７，４３が連結移動方向と直交する方向にたわみながら結合することによって第一及び第二の本体５，６を連結する。連結部３３，３４を結ぶ直線の両側に、第一及び第二の本体５，６の連結移動に伴い、この連結移動方向に嵌合する嵌合構造を有する一対の規制部６３を設ける。【選択図】　　図５
2004087157.tif 000002
【特許請求の範囲】
【請求項１】
ランプを支持するランプ支持部を内部に収納支持し、前記ランプに設けられた一対の口金ピンが接続される接触金具を内部に収納し、第一の本体と第二の本体とに２分割することができる本体ケースと；
前記第一の本体と前記第二の本体との連結移動に伴い、前記第一の本体と前記第二の本体との一方に設けられた第一の係合部に対して前記第一の本体と前記第二の本体との他方に設けられた第一の爪が前記連結移動方向と直交する方向にたわみながら結合することによって前記第一の本体と前記第二の本体とを連結する一対の第一の連結部と；
前記一対の第一の連結部を結ぶ直線の両側にそれぞれ配列され、前記第一の本体と前記第二の本体との前記連結移動に伴い、この連結移動方向に嵌合する嵌合構造を有する一対の規制部と；
を備えるランプソケット。
【請求項２】
前記一対の第一の連結部を結ぶ直線の両側に配列され、前記第一の本体と前記第二の本体との連結移動に伴い、前記第一の本体と前記第二の本体との一方に設けられた第二の係合部に対して前記第一の本体と前記第二の本体との他方に設けられた第二の爪が前記連結移動方向と直交する方向にたわみながら結合することによって前記第一の本体と前記第二の本体とを連結する一対の第二の連結部を備える請求項１記載のランプソケット。
【請求項３】
照明器具本体と；
前記照明器具本体に取り付けられた請求項１又は２記載のランプソケットと；
前記ランプソケットに支持されたランプと；
を備える照明器具。
【発明の詳細な説明】
【０００１】
【発明の属する技術分野】本発明は、ランプを着脱可能に支持するランプソケット、及び、このランプソケットを備えて構成される照明器具に関する。
【０００２】
【従来の技術】従来、直管型蛍光ランプを備えた照明器具においては、その直管型蛍光ランプを着脱可能に支持する一対の蛍光ランプソケットが対向して設けられている。このような照明器具は、蛍光ランプソケットによって直管型蛍光ランプを支持し、これらの蛍光ランプソケットを介して直管型蛍光ランプへの電力供給を行なう構成とされている。
【０００３】
このような従来の蛍光ランプソケット１００を図７に示す。従来の蛍光ランプソケット１００は、一面側に開口１０１を有するケース１０２とケース１０２の開口１０１を閉塞する背面カバー１０３との２分割構成の樹脂製の本体ケース１０４、本体ケース１０４の内部に収納された一対の接触金具１０５（一方は図示せず）及び直管型蛍光ランプを支持する支持部１０６等により構成されている。ケース１０２の他面側には直管型蛍光ランプの一端部が挿入される挿入口１０７が形成されている。背面カバー１０３は、支持部１０６を支持している。
【０００４】
この蛍光ランプソケット１００におけるケース１０２と背面カバー１０３との連結は、ケース１０２の上下に形成された係合部１０８（下の係合部は図示せず）に、背面カバー１０３の上下に形成された爪１０９が弾発的に係合することにより行なわれる。具体的には、背面カバー１０３の下の爪１０９をケース１０２の下の係合部に引っ掛け、この状態で、背面カバー１０３の上の爪１０９を手によりたわませてケース１０２の上の係合部１０８に引っ掛け、その後、ケース１０２に対して背面カバー１０３を押し付けることにより上下の爪１０９が上下の係合部１０８に係合しケース１０２と背面カバー１０３とが連結される。
【０００５】
【発明が解決しようとする課題】ところで、近年では、ケース１０２と背面カバー１０３との連結作業の自動化が望まれている。しかしながら、上述したようなケース１０２と背面カバー１０３との連結構造では、連結の際に、爪１０９のたわみにより発生する弾発力によって、ケース１０２と背面カバー１０３との位置関係がずれてしまうという問題があり、ケース１０２と背面カバー１０３との連結作業の自動化への障害となっている。
【０００６】
また、このような蛍光ランプソケット１００の支持部１０６への直管型蛍光ランプの取り付けを行なう取付者の中には、直管型蛍光ランプの蛍光ランプソケット１００への取り付けを過大な力で行なってしまう取付者もいる。このような場合には、支持部１０６を支持している背面カバー１０３がそのような力により押圧されて変形してしまい、上下の爪１０９が上下の係合部１０８から外れてしまうことにより背面カバー１０３がケース１０２から脱落する恐れがある。
【０００７】
本発明の目的は、２分割構成の本体ケースにおける連結の際に連結の位置がずれることを防止することである。
【０００８】
本発明の目的は、２分割構成の本体ケースの連結状態を良好に維持することである。
【０００９】
【課題を解決するための手段】請求項１記載の発明のランプソケットは、ランプを支持するランプ支持部を内部に収納支持し、前記ランプに設けられた一対の口金ピンが接続される接触金具を内部に収納し、第一の本体と第二の本体とに２分割することができる本体ケースと；前記第一の本体と前記第二の本体との連結移動に伴い、前記第一の本体と前記第二の本体との一方に設けられた第一の係合部に対して前記第一の本体と前記第二の本体との他方に設けられた第一の爪が前記連結移動方向と直交する方向にたわみながら結合することによって前記第一の本体と前記第二の本体とを連結する一対の第一の連結部と；前記一対の第一の連結部を結ぶ直線の両側にそれぞれ配列され、前記第一の本体と前記第二の本体との前記連結移動に伴い、この連結移動方向に嵌合する嵌合構造を有する一対の規制部と；を備える。
【００１０】
ここで、第一の本体と第二の本体との連結移動とは、第一の爪が第一の係合部に係合するように第一の本体と第二の本体とが相対的に近付く移動である。
【００１１】
また、規制部の嵌合構造は、嵌合片とこの嵌合片が摺動自在に嵌合する受け部とによる構成されるものであり、それらの嵌合により、一対の第一の連結部の配列方向への第一の本体と第二の本体との移動を規制する。嵌合片としては、凸部を例示することができ、受け部としては、一対のリブにより形成される凹部や孔を例示することができる。
【００１２】
したがって、嵌合構造を嵌合させた状態で、第一の連結部の第一の爪を第一の係合部に係合させて第一の本体と第二の本体とを連結することにより、第一の本体と第二の本体との第一の連結部の配列方向への移動が規制された状態で第一の本体と第二の本体との連結が行なわれるので、連結の際の第一の爪のたわみにより発生する弾発力による第一の本体と第二の本体との第一の連結部の配列方向への移動が規制され、第一の本体と第二の本体との位置ずれが防止される。また、ランプのランプソケットへの取り付けの際に、ランプ支持部を収納支持している本体ケースに対して過大な押圧力が作用した場合にも、その押圧力による第一の本体と第二の本体とが離反するような本体ケースの変形が規制部の連結構造の引っ掛かりや変形抵抗により防止される。
【００１３】
ここで、一対の第一の連結部と規制部とを本体ケースにおけるランプ支持部を支持する部位の中心を囲むように位置付けることが望ましい。このようにランプ支持部を囲むことにより、本体ケースの変形がより確実に防止される。
【００１４】
また、接触金具がランプ支持部を兼ねてもよい。
【００１５】
請求項２記載の発明は、請求項１記載のランプソケットにおいて、前記一対の第一の連結部を結ぶ直線の両側に配列され、前記第一の本体と前記第二の本体との連結移動に伴い、前記第一の本体と前記第二の本体との一方に設けられた第二の係合部に対して前記第一の本体と前記第二の本体との他方に設けられた第二の爪が前記連結移動方向と直交する方向にたわみながら結合することによって前記第一の本体と前記第二の本体とを連結する一対の第二の連結部を備える。
【００１６】
したがって、一対の第一の連結部を結ぶ直線の両側において第二の連結部により第一の本体と第二の本体との連結が行なわれるので、ランプのランプソケットへの取り付けの際に、ランプ支持部を収納支持している本体ケースに対して過大な押圧力が作用した場合にも、その押圧力による第一の本体と第二の本体とが離反するような本体ケースの変形が防止される。
【００１７】
また、第二の爪を嵌合構造の嵌合片として機能させてもよい。これにより、第二の爪と嵌合片とを独立して設ける場合に比べて、ランプソケットの小型化を図ることが可能となる。
【００１８】
請求項３記載の発明の照明器具は、照明器具本体と；前記照明器具本体に取り付けられた請求項１又は２記載のランプソケットと；前記ランプソケットに支持されたランプと；を備える。
【００１９】
したがって、請求項１又は２記載の作用を有するランプソケットを備えた照明器具を提供することが可能である。
【００２０】
【発明の実施の形態】本発明の一実施の形態を図１ないし図６に基づいて説明する。図１は照明器具の全体構造を示す斜視図、図２は蛍光ランプソケットを示す分解斜視図、図３は蛍光ランプソケットを示す正面図、図４は接触金具を示す斜視図、図５はケースと背面カバーとを示す分解断面図、図６はケースと背面カバーとの連結構造を示す断面図である。
【００２１】
本実施の形態の照明器具は図１に示すように、天井面に固定された鋼板製で長尺状の照明器具本体（図示せず）、照明器具本体に対して着脱可能に取り付けられた反射板１、照明器具本体の長手方向の両端部に取り付けられて反射板１に形成された開口２から下向きに挿通され、対向配置された一対のランプソケットである蛍光ランプソケット３、蛍光ランプソケット３間に着脱可能に支持されたランプである直管型蛍光ランプ４等により構成されている。
【００２２】
蛍光ランプソケット３は図２及び図３に示すように、第一の本体であるケース５とこのケース５に連結される第二の本体である背面カバー６との２分割構成の合成樹脂製の本体ケース７、ランプ支持部である回転子８、一対の接触金具９等により構成されている。
【００２３】
ケース５は、挿入口１０を有する正面壁１１と、この正面壁１１の周縁から後ろ向きに一体に突設された周壁１２とを備え、背面側には、内部を露出させる開口１３が形成されている。さらに、このケース５には、挿入口１０に連通して正面壁１１及び周壁１２の下端に開放する口金ピン出入り口１４が形成されている。この口金ピン出入り口１４からは、直管型蛍光ランプ４を蛍光ランプソケット３に着脱する際に、直管型蛍光ランプ４の両端部にそれぞれ設けられている二本の口金ピン１５（図３参照）が出し入れされる。
【００２４】
正面壁１１の裏面側には、一対の接触金具９が保持されている。これらの接触金具９は、直管型蛍光ランプ４の口金ピン１５が押圧されて接続されるとともに、電線（図示せず）が差し込まれて接続される部材であり、図４に示すように、長尺状の銅板を折り曲げることにより形成され、口金ピン１５と押圧状態で接触する第一接続部９ａ、電線が差し込まれる第二接続部９ｂが形成されている。第二接続部９ｂでは、電線が穴部９ｃに差し込まれ、穴部９ｃに差し込まれた電線が折曲部９ｄの先端部で押圧されて抜け止めされることにより、接触金具９と電線との接続状態が維持される。
【００２５】
周壁１２の上辺中央部には電線挿入部１６が形成され、この電線挿入部１６を挟んだ両側位置には、蛍光ランプソケット３を照明器具本体の係合部に係合させる係合溝１７が形成されている。
【００２６】
電線挿入部１６は、図２に示すように、周囲より凹んだ部分である凹部１８、凹部１８の底面部に形成された４個の電線挿入穴１９等により構成されている。
【００２７】
電線挿入穴１９は電線が挿入される穴であり、ケース５に保持された接触金具９に形成された穴部９ｃと電線挿入穴１９とが上下位置で対向するように位置決めされている。これにより、電線挿入穴１９に挿入した電線をさらに押し込むことにより、その電線の先端部が穴部９ｃに差し込まれる構造となっている。
【００２８】
なお、４個の電線挿入穴１９のうちの奥側に位置する一対の電線挿入穴１９には、蛍光ランプソケット３間に支持されている直管型蛍光ランプ４に対して電源から電力を供給するための電線が挿入され、手前側に位置する一対の電線挿入穴１９には、この蛍光ランプソケット３を二灯式の照明器具において使用した場合に、一灯目の直管型蛍光ランプの蛍光ランプソケット３から二灯目の直管型蛍光ランプ４の蛍光ランプソケット３側に電力を供給する、所謂「渡り線」と称される電線が挿入される。
【００２９】
背面カバー６には、円形状リブ２０と、ランプ支持部である回転子支持軸２１と、一対の接触金具受け上リブ２２と、一対の接触金具受け下リブ２３とが形成されている。
【００３０】
円形状リブ２０と回転子支持軸２１とは回転子８を支持する部分であり、これらの円形状リブ２０と回転子支持軸２１とは同心に設けられ、背面カバー６をケース５に連結したときに挿入口１０に対向する位置に形成されている。
【００３１】
円形状リブ２０には、略９０°の間隔をもって節度用凹部２４，２５が形成されている。略１８０°の間隔をもって位置する一対の節度用凹部２４は上下方向に対向して設けられており、これらの節度用凹部２４に対して略９０°ずれて位置する一対の節度用凹部２５は水平方向に対向して設けられている。
【００３２】
回転子支持軸２１は図２に示すように、円形状リブ２０の突出高さよりもかなり長く、その前端に開放するすり割り溝２６を有するとともに、前端に外側に張出すストッパ縁２７を有している。すり割り溝２６は、口金ピン１５が通過可能な幅に形成されている。
【００３３】
回転子８は、前後両端が開放された円筒部２８、一対の節度用凸部２９、フランジ部３０、一対の前開きスリット３１、一対の後開きスリット３２等を有している。
【００３４】
円筒部２８は、円形状リブ２０の内側に回転可能に嵌合できる径を有し、その前端部にフランジ部３０が径方向外側に一体に張出して形成されている。一対の前開きスリット３１は、円筒部２８の周方向に略１８０°の間隔をもって設けられ、円筒部２８の前端にそれぞれ開放され、これらの前開きスリット３１によりフランジ部３０は二分されている。節度用凸部２９は前開きスリット３１の延長線上に位置して略１８０°の間隔をもって形成され、回転子８が回転することによりいずれか一対の節度用凹部２４，２５に節度感をもって係脱される。
【００３５】
一対の後開きスリット３２は、前開きスリット３１に対して周方向へ略９０°ずらして形成され、円筒部２８の後端にそれぞれ開放されている。これらの後開きスリット３２により、前開きスリット３１及び節度用凸部２９を周方向略中央部に有する半円筒状部分が、フランジ部３０側を支点として内側に弾性変形できるようになっている。
【００３６】
回転子８の回転子支持軸２１への取り付けは、回転子８の後端部を円形状リブ２０の内側に嵌合させるとともに、フランジ部３０の内周側を回転子支持軸２１のストッパ縁２７に引っ掛けることにより行われている。なお、回転子支持軸２１と回転子８とは、ストッパ縁２７とフランジ部３０とが引っ掛かっているだけで、その他の円筒部２８の内周面と回転子支持軸２１の外周面との間には隙間があり、この隙間により円筒部２８における半円筒状部分の弾性変形が許容され、節度用凸部２９の節度用凹部２４，２５への係脱が可能にされている。
【００３７】
一対の接触金具受け上リブ２２は、背面カバー６の左右方向の中心から左右に振り分けられた位置に形成され、一対の接触金具９の上部を支持する。一対の接触金具受け下リブ２３は、背面カバー６の左右方向の中心から左右に振り分けられた位置に形成され、一対の接触金具９の下部を支持する。
【００３８】
次に、ケース５と背面カバー６との連結構造について図２、図５及び図６に基づいて説明する。ケース５と背面カバー６との連結は、一対の第一の連結部である上下の連結部３３，３４と、一対の第二の連結部である左右の連結部３５，３６とにより行なわれている。
【００３９】
上下の連結部３３，３４は、回転子８及び回転子支持軸２１を挟んで上下に配列されている。上の連結部３３は、図５に示すように、背面カバー６上部の裏面から突出して形成された第一の爪である上爪３７と、ケース５上部の内側に形成され上爪３７を係合状態で支持するための第一の係合部である上係合部３８とから構成されている。上爪３７は、弾性を有して形成されるとともに、その先端部に爪部３９が上方に突出して形成されている。爪部３９の上部には、上爪３７の先端に向かい下方に傾斜した斜面４０が形成されている。上係合部３８には、上爪３７の斜面４０が摺動可能な斜面４１を有する爪部４２が下方に突出して形成されている。
【００４０】
下の連結部３４は、背面カバー６下部の裏面から突出して形成された第一の爪である下爪４３と、ケース５下部の内側に形成され下爪４３を係合状態で支持するための第一の係合部である下係合部４４とから構成されている。下爪４３は、弾性を有して形成されるとともに、その先端部に爪部４５が下方に突出して形成されている。爪部４５の下部には、下爪４３の先端に向かい上方に傾斜した斜面４６が形成されている。下係合部４４には、下爪４３の斜面４６が摺動可能な斜面４７を有する爪部４８が上方に突出して形成されている。
【００４１】
左右の連結部３５，３６は、図５及び図６に示すように、ケース５の周壁１２の左右の上下方向の中央部に周壁１２内側から突出して形成された第二の爪である左右爪４９，５０と、図２、図５及び図６に示すように、背面カバー６の裏面の左右の中央部に形成され左右爪４９，５０を係合状態で支持するための第二の係合部である左右係合部５１，５２とから構成されている。左右爪４９，５０には、先端に向かって正面壁１１に近付くように傾斜した斜面５３，５４が形成されている。左右係合部５１，５２には、左右爪４９，５０の斜面５３，５４が摺動可能な爪部５５，５６が形成されている。ここで、左右爪４９，５０が形成されているケース５の周壁１２は弾性を有して形成されており、左右爪４９，５０の一部を構成している。
【００４２】
左右係合部５１，５２のそれぞれの上部と下部とには、上リブ５７，５８及び下リブ５９，６０が背面カバー６の裏面から突出して形成されている。これらの上リブ５７，５８及び下リブ５９，６０により、左右爪４９，５０が上リブ５７，５８及び下リブ５９，６０の間に摺動自在に嵌合可能な受け部としての左右凹部６１，６２が左右係合部５１，５２に形成されている。ここで、左右爪４９，５０は、嵌合片としての凸部として機能する。これらの左右凹部６１，６２は、左右凹部６１，６２に左右爪４９，５０が嵌合した状態で、ケース５と背面カバー６との上下方向の相対移動を規制する。ケース５と背面カバー６との連結の際には、上下左右の各部の爪３７，４３，４９，５０が上下左右の各部の係合部３８，４４，５１，５２に接触する前に左右爪４９，５０が左右凹部６１，６２に嵌合するように各部が設定されている。ここに、左右凹部６１，６２と左右爪４９，５０とによる嵌合構造を有する一対の規制部である左右の規制部６３，６４が構成されている。ここで、これらの左右の規制部６３，６４は、上下の連結部３３，３４を結ぶ直線の両側に配列されている。
【００４３】
下及び左右の連結部３４，３５，３６は、回転子８及び回転子支持軸２１の中心を囲むように位置付けられているとともに、一対の接触金具受け下リブ２３の中心を囲むように位置付けられている。これにより、下の連結部３４及び左右の規制部６３，６４も同様に、回転子８の中心及び回転子支持軸２１の中心を囲むように位置付けられているとともに、一対の接触金具受け下リブ２３の中心を囲むように位置付けられている。
【００４４】
また、上及び左右の連結部３３，３５，３６は、一対の接触金具受け上リブ２２の中心を囲むように位置付けられている。これにより、上の連結部３３及び左右の規制部６３，６４も同様に、接触金具受け上リブ２２の中心を囲むように位置付けられている。
【００４５】
このような連結構造により、ケース５と背面カバー６とを連結するには、上下左右の連結部３３，３４，３５，３６の上下左右爪３７，４３，４９，５０が上下左右の係合部３８，４４，５１，５２に係合可能なように、かつ、左右爪４９，５０が左右凹部６１，６２に嵌合可能なようにケース５に対して背面カバー６を対面させ、背面カバー６をケース５に向けて移動（連結移動）させることにより、左右爪４９，５０を連結移動方向に移動させて左右爪４９，５０を左右凹部６１，６２に嵌合させる。この状態でさらに背面カバー６をケース５に向けて移動させる。これにより、上下爪３７，４３の斜面４０，４６が上下係合部３８，４４の斜面４１，４７に押圧され、弾性を有する上下爪３７，４３が連結移動方向と直交する上下方向にたわむことにより、上下爪３７，４３の爪部３９，４５が上下係合部３８，４４の爪部４２，４８を超えて、上下爪３７，４３が上下係合部３８，４４に係合する。
【００４６】
また、このとき、左右爪４９，５０の斜面５３，５４が左右係合部５１，５２に押圧され、ケース５の弾性を有する周壁１２が連結移動方向と直交する方向にたわむことにより、左右爪４９，５０が左右係合部５１，５２の爪部５５，５６を超えて、左右爪４９，５０が左右係合部５１，５２に係合する。このようにケース５と背面カバー６とが連結された状態では、左右凹部６１，６２と左右爪４９，５０との嵌合が維持されている。
【００４７】
このような構成において、蛍光ランプソケット３の組み立ては、左右爪４９，５０を左右凹部６１，６２に嵌合させた状態で、上下左右の連結部３３，３４，３５，３６によりケース５と背面カバー６との連結を行ない、挿入口１０から挿入した回転子８を回転子支持軸２１に取り付けることにより行う。
【００４８】
ここで、ケース５と背面カバー６との連結の際には、上下爪３７，４３が上下係合部３８，４４に押圧されてたわむことによって発生する弾発力によりケース５と背面カバー６とが互いに反対方向の上下方向に付勢されるが、このとき、左右の規制部６３，６４によりケース５と背面カバー６との上下方向の移動が規制されているので、ケース５と背面カバー６との位置が相対的に上下方向にずれることが防止される。これにより、ケース５と背面カバー６との上下方向の位置ずれの発生を気にすること無く、簡単に、また、確実にケース５と背面カバー６との連結を行なうことができ、よって、ケース５と背面カバー６との連結作業の自動化を図ることができる。
【００４９】
また、左右爪４９，５０が左右凹部６１，６２に嵌合している状態では、左右方向を軸心としてその軸心まわりの左右爪４９，５０の回転が左右凹部６１，６２により規制されるので、ケース５と背面カバー６との連結の際に、ケース５の上端と背面カバー６の上端とが近付くようなケース５と背面カバー６との相対的な傾きや、ケース５の下端と背面カバー６の下端とが近付くようなケース５と背面カバー６との相対的な傾きが発生することが防止される。
【００５０】
上記のようにして組み立てられた蛍光ランプソケット３は、回転子８の前開きスリット３１とケース５に形成されている口金ピン出入り口１４とが一直線上に配列され、照明器具の照明器具本体に取り付けられる。照明器具本体に取り付けられている蛍光ランプソケット３に対して直管型蛍光ランプ４を取り付ける場合には、口金ピン出入り口１４から前開きスリット３１内へ直管型蛍光ランプ４の口金ピン１５を挿入し（図３（ａ）参照）、挿入後にその直管型蛍光ランプ４を略９０°回転させる（図３（ｂ）参照）。この回転により、直管型蛍光ランプ４と共に回転子８が回転子、直管型蛍光ランプ４の二本の口金ピン１５は略水平位置に移動するとともに口金ピン１５が接触金具９に押圧状態で接触する。このとき、口金ピン１５は、その先端が接触金具９の前後方向における中間部まで挿入された状態となる。この状態で、直管型蛍光ランプ４が、回転子８、回転子支持軸２１及び接触金具９により支持される。ここで、接触金具９は直管型蛍光ランプ４が取付けられるランプ支持部としても機能している。これにより、接触金具９を介して直管型蛍光ランプ４への電力供給が可能となる。
【００５１】
このような直管型蛍光ランプ４の蛍光ランプソケット３への取り付けを行なう取付者の中には、直管型蛍光ランプ４の蛍光ランプソケット３への挿入や挿入した直管型蛍光ランプ４の回転を過大な力で行なってしまう取付者もいる。過大な力により直管型蛍光ランプ４が蛍光ランプソケット３へ挿入された場合には、その過大な力により回転子８及び回転子支持軸２１を介して背面カバー６が押圧される。蛍光ランプソケット３に挿入した直管型蛍光ランプ４の回転が過大な力で行なわれた場合、口金ピン１５の先端が接触金具９の前後方向における中間部に位置した状態で接触金具９が口金ピン１５を押圧しているので、接触金具９が背面カバー６に向けて押圧されることとなる。これにより、接触金具９を接触金具受け上リブ２２及び接触金具受け下リブ２３で支持している背面カバー６がケース５から離反する方向に押圧される。本実施の形態では、これらのような押圧による背面カバー６の変形及びこの変形による背面カバー６のケース５からの脱落を、上下左右の連結部３３，３４，３５，３６の連結及び左右の規制部６３，６４の嵌合構造により防止している。
【００５２】
ここで、例えば、ケースと背面カバーとの連結を上下２つの連結部のみで行なっている従来の蛍光ランプソケットに上述した押圧力が作用した場合には、背面カバーは、その中央部がケースから離反するように反ってしまうが、本実施の形態では、まず、左右の規制部６３，６４によりその反りが防止されている。詳しくは、上述したような押圧力が背面カバー６に作用すると、上リブ５７，５８及び下リブ５９，６０が左右爪４９，５０を上下から挟持するように上リブ５７，５８及び下リブ５９，６０が変形することにより、左右爪４９，５０が上リブ５７，５８及び下リブ５９，６０の間に引っ掛かり左右爪４９，５０の移動が規制される。これにより、背面カバー６の反りが防止され、ケース５と背面カバー６との連結状態が良好に維持される。
【００５３】
ここで、左右爪４９，５０が背面カバー６に設けられ、上リブ５７，５８及び下リブ５９，６０がケース５に設けられている蛍光ランプソケットでは、まず、上述したような押圧力の中心部から上下方向にずれて左右爪４９，５０が配置されているときは、その押圧力により左右爪４９，５０が斜めに変形し、左右爪４９，５０が上リブ５７，５８及び下リブ５９，６０の間に引っ掛かり左右爪４９，５０の移動が規制され、これにより、背面カバー６の反りが防止され、ケース５と背面カバー６との連結状態が良好に維持される。一方、このとき、押圧力の上下方向の中心部を含む位置に左右爪４９，５０が配置されている場合には、押圧力は左右爪４９，５０をケース５から垂直方向に離反させるように作用する。この場合、左右爪４９，５０を移動させるには、左右爪４９，５０の変形を伴うことになるが、左右爪４９，５０は押圧力に抗する変形抵抗を有するので、この変形抵抗により左右爪の移動が規制される。これにより、背面カバー６の変形が規制され、背面カバー６の反りが防止される。よって、ケース５と背面カバー６との連結状態が良好に維持される。
【００５４】
このとき、左右の規制部６３，６４及び下の連結部３４が、回転子８の中心、回転子支持軸２１の中心及び一対の接触金具受け下リブ２３の中心を囲むように位置付けられていることと、左右の規制部６３，６４及び上の連結部３３が、一対の接触金具受け上リブ２２の中心を囲むように位置付けられていることとにより、背面カバー６の反りがより確実に防止され、ケース５と背面カバー６との連結状態がさらに良好に維持される。
【００５５】
さらに、本実施の形態では、左右の連結部３５，３６によりケース５と背面カバー６との連結が行なわれているので、上述したようなケース５の反りをさらに確実に防止することができ、これにより、ケース５と背面カバー６との連結状態がさらに良好に維持される。
【００５６】
このとき、下及び左右の連結部３４，３５，３６が、回転子８の中心、回転子支持軸２１の中心及び一対の接触金具受け下リブ２３の中心を囲むように位置付けられていることと、上及び左右の連結部３３，３５，３６が、一対の接触金具受け上リブ２２の中心を囲むように位置付けられていることとにより、背面カバー６の反りがより確実に防止され、ケース５と背面カバー６との連結状態がさらに良好に維持される。
【００５７】
また、例えば、背面カバー６単体に反りがある場合には、ケース５に背面カバー６を連結することにより、その反りを左右の連結部３５，３６により矯正することができる。
【００５８】
また、左右爪４９，５０が凸部としても機能するので、左右爪４９，５０と凸部とを独立して設ける場合に比べて、蛍光ランプソケット３の小型化がなされている。
【００５９】
【発明の効果】請求項１記載の発明のランプソケットによれば、ランプを支持するランプ支持部を内部に収納支持し、前記ランプに設けられた一対の口金ピンが接続される接触金具を内部に収納し、第一の本体と第二の本体とに２分割することができる本体ケースと；前記第一の本体と前記第二の本体との連結移動に伴い、前記第一の本体と前記第二の本体との一方に設けられた第一の係合部に対して前記第一の本体と前記第二の本体との他方に設けられた第一の爪が前記連結移動方向と直交する方向にたわみながら結合することによって前記第一の本体と前記第二の本体とを連結する一対の第一の連結部と；前記一対の第一の連結部を結ぶ直線の両側にそれぞれ配列され、前記第一の本体と前記第二の本体との前記連結移動に伴い、この連結移動方向に嵌合する嵌合構造を有する一対の規制部と；を備えることにより、嵌合構造を嵌合させた状態で、第一の連結部の第一の爪を第一の係合部に係合させて第一の本体と第二の本体とを連結することにより、第一の本体と第二の本体との第一の連結部の配列方向への移動が規制された状態で第一の本体と第二の本体との連結が行なわれるので、第一の爪のたわみにより発生する弾発力による第一の本体と第二の本体との第一の連結部の配列方向への移動が規制され、第一の本体と第二の本体との位置ずれを防止することができる。また、ランプのランプソケットへの取り付けの際に、ランプ支持部を収納支持している本体ケースに対して過大な押圧力が作用した場合にも、その押圧力による第一の本体と第二の本体とが離反するような本体ケースの変形を規制部の連結構造により防止することができ、第一の本体と第二の本体との連結状態を良好に維持することができる。
【００６０】
請求項２記載の発明によれば、請求項１記載のランプソケットにおいて、前記一対の第一の連結部を結ぶ直線の両側に配列され、前記第一の本体と前記第二の本体との連結移動に伴い、前記第一の本体と前記第二の本体との一方に設けられた第二の係合部に対して前記第一の本体と前記第二の本体との他方に設けられた第二の爪が前記連結移動方向と直交する方向にたわみながら結合することによって前記第一の本体と前記第二の本体とを連結する一対の第二の連結部を備えることにより、一対の第一の連結部を結ぶ直線の両側において第二の連結部により第一の本体と第二の本体との連結が行なわれるので、ランプの蛍光ランプソケットへの取り付けの際に、ランプ支持部を収納支持している本体ケースに対して過大な押圧力が作用した場合にも、その押圧力による第一の本体と第二の本体とが離反するような本体ケースの変形をさらに確実に防止することができ、第一の本体と第二の本体との連結状態をさらに良好に維持することができる。
【００６１】
請求項３記載の発明の照明器具によれば、照明器具本体と；前記照明器具本体に取り付けられた請求項１又は２記載のランプソケットと；前記ランプソケットに支持されたランプと；を備えることにより、請求項１又は２記載の発明と同じ作用、効果を奏することができる。
【図面の簡単な説明】
【図１】本発明の一実施の形態の照明器具の全体構造を示す斜視図である。
【図２】その蛍光ランプソケットを示す分解斜視図である。
【図３】蛍光ランプソケットを示し、（ａ）は直管型蛍光ランプの口金ピンが接触金具に接続されていない状態の蛍光ランプソケットを示す正面図、（ｂ）は直管型蛍光ランプの口金ピンが接触金具に接続されている状態の蛍光ランプソケットを示す正面図である。
【図４】接触金具を示す斜視図である。
【図５】ケースと背面カバーとを示す分解断面図である。
【図６】ケースと背面カバーとの連結構造を示し、（ａ）は上の連結部を示す縦断側面図、（ｂ）は左右の連結部を示す水平断面図、（ｃ）は下の連結部を示す縦断側面図である。
【図７】従来の蛍光ランプソケットを示す分解斜視図である。
【符号の説明】３：ランプソケット（蛍光ランプソケット）、４：ランプ（直管型蛍光ランプ）、５：第一の本体（ケース）、６：第二の本体（背面カバー）、７：本体ケース、８：ランプ支持部（回転子）、９：ランプ支持部、接触金具、１５：口金ピン、２１：ランプ支持部（回転子支持軸）、３３：第一の連結部（上の連結部）、３４：第一の連結部（下の連結部）、３５：第二の連結部（左の連結部）、３６：第二の連結部（右の連結部）、３７：第一の爪（上爪）、３８：第一の係合部（上係合部）、４３：第一の爪（下爪）、４４：第一の係合部（下係合部）、４９：第二の爪（左爪）、５０：第二の爪（右爪）、５１：第二の係合部（左係合部）、５２：第二の係合部（右係合部）、６３：規制部（左の規制部）、６４：規制部（右の規制部）
【図１】
2004087157.tif 000003
【図２】
2004087157.tif 000004
【図３】
2004087157.tif 000005
【図４】
2004087157.tif 000006
【図５】
2004087157.tif 000007
【図６】
2004087157.tif 000008
【図７】
2004087157.tif 000009